(57)【要約】【課題】  定期切替えや保守手順による系の切替えを行うメディアゲートウェイ装置における系の切替え時に生じる通信不可時間を無くす。【解決手段】  電話端末12と接続される加入者収容回路21と、冗長構成をとりルータ13、14を介してIP網15に接続されるTDMデータ/IPパケット変換回路20、21とを有してメディアゲートウェイが構成される。TDMデータ/IPパケット変換回路20、21はその運用系と待機系との間で通信情報、同期信号、IP網15側から受信したIPパケットデータの通信を行う機能を具備し、系切替え時に運用系のTDMデータ/IPパケット変換回路20はIP網15側から受信したIPパケットデータを待機系のTDMデータ/IPパケット変換回路21に送信し、運用系と待機系の両系が同期してIP網15とIPパケットデータ通信を実施し、待機系のIPパケットデータ通信が保障された時点で待機系は運用系に、運用系は待機系に切替えを行う。【選択図】  図1
2010130390.tif 000002
【特許請求の範囲】
【請求項１】
第1端末と、第2端末と、前記第1端末に接続される第1管理装置と、前記第2端末に接続されかつインターネットプロトコル（IP）ネットワークを介して前記第1管理装置と接続される第2管理装置と、前記第1管理装置及び前記第２管理装置と接続されるクロック供給装置とを有する通信システムであって、
前記クロック供給装置は、前記第1管理装置及び前記第２管理装置に同期信号を送信し、
前記第1管理装置は、
前記第1端末と送受信する信号を変換する第1回路と、
前記第1回路から信号を送信され、時分割多重データとIPパケットとを相互に変換する第1変換回路と、
前記第1回路から信号を送信され、時分割多重データとIPパケットとを相互に変換する第２変換回路とを有して、
前記第1変換回路と前記第2変換回路とが、前記クロック供給装置からの同期信号によってIPパケット処理を同期させることを特徴とする通信システム。
【請求項２】
前記第1変換回路と前記第変換2回路とは、運用系と待機系とに相互に切り替えられることを特徴とする請求項１に記載の通信システム。
【請求項３】
前記第1変換回路と前記第２変換回路とは、相互に情報を送受信することを特徴とする通信システム。
【請求項４】
前記第1変換回路と前記第変換2回路とは、各々、前記運用系のときには運用系IPアドレスが割り当てられ、前記待機系のときには待機系IPアドレスが割り当てられることを特徴とする請求項２に記載の通信システム。
【請求項５】
前記運用系IPアドレスと前記待機系IPアドレスは、前記第1変換回路と前記第変換2回路とに共通であることを特徴とする請求項４に記載の通信システム。
【請求項６】
前記第1変換回路と前記第変換2回路とは、前記運用系と前記待機系との切り替えのときに、経路変更情報を前記IPネットワークと前記第2管理装置とに送信することを特徴とする請求項４に記載の通信システム。
【請求項７】
前記第1変換回路は、前記第1管理装置から前記第2管理装置に前記第1端末由来の情報を送信するときには、前記第1回路から時分割多重データを受信し、前記同期信号にあわせてIPデータへ変換することを特徴とする請求項１に記載の通信システム。
【請求項８】
前記第1変換回路は、バッファを備え、前記第２管理装置から前記第１管理装置に前記第2端末由来の情報を送信するときには、前記IPネットワークから受信したIPパケットを前記バッファと前記第2変換回路とに送信することを特徴とする請求項１に記載の通信システム。
【請求項９】
前記第1変換回路は、前記バッファに所定数の前記IPパケットが格納されたときに、前記同期信号にあわせて、前記IPパケットを時分割多重データに変換することを特徴とする請求項８に記載の通信システム。
【請求項１０】
前記第1変換回路及び前記第２変換回路は、前記第1管理装置から前記第2管理装置に前記第1端末由来の情報を送信するときには、前記第1回路から時分割多重データを受信し、前記同期信号にあわせて同一のIPデータへ変換することを特徴とする請求項１に記載の通信システム。
【請求項１１】
前記第1変換回路は、バッファを備え、前記第２管理装置から前記第１管理装置に前記第2端末由来の情報を送信するときには、前記IPネットワークから受信したIPパケットを前記バッファと前記第2変換回路とに送信し、前記第1変換回路及び前記第2変換回路は、各々、前記IPパケットを同一の時分割多重データへ変換することを特徴とする請求項１に記載の通信システム。
【請求項１２】
前記バッファは、送信された前記IPパケットのIPアドレスの宛先の一致性を判断することを特徴とする請求項８に記載の通信システム。
【請求項１３】
前記バッファは、送信された前記IPパケットについてシーケンス番号が重複するときには後に受信したIPパケットを破棄することを特徴とする請求項８に記載の通信システム。
【発明の詳細な説明】
【技術分野】
【０００１】
本発明は、TDMデータ／IPパケット変換回路の系切替方式及びTDMデータ／IPパケット変換回路を持つメディアゲートウェイ装置に係り、特に、既存の電話通信とVOICE Over IPとの間での変換、すなわち、時分割多重通信とパケット通信との通信メディアの変更を行うメディアゲートウェイ装置が持つTDMデータ／IPパケット変換回路の系切替え方法及びメディアゲートウェイ装置に関する。
【背景技術】
【０００２】
メディアゲートウェイ装置に含まれるTDMデータ／IPパケット変換回路の現用、予備切替え方法に関する従来技術として、例えば、特許文献1等に記載された技術が知られている。
【０００３】
この従来技術は、メディアゲートウェイ装置におけるパケット網側の通信情報を運用系と待機系との間で転送することにより、系の切替えに伴って待機系が運用系となった後も、それまで運用系で実施していた通信を継続することを可能としたものである。そして、この従来技術では、運用系から待機系に切り替わった場合に、待機系をIPネットワークから切断し、同時に２つの同一のアドレスを有する装置がネットワーク内に存在しないようにした上で、引き継いだ通信情報を使用して通信を継続している。
【０００４】
【特許文献１】特開２００５−５７４６１号公報
【発明の開示】
【発明が解決しようとする課題】
【０００５】
前述した従来技術は、待機系のIPパケットネットワークインタフェースをネットワークから切断している場合における系切替え、通信を行うことの出来ない系への切替えとなり、待機系が接続されるIPパケットネットワークの各種機器やパケットネットワークとの間の通信状況の確認を、待機系から運用系の切替えが行われた時点で行うこととなる。このため、前述した従来技術は待機系が運用を開始した時点で通信を直ちに行うことができる保障がなく、待機系から運用系への切替え時に、通信が不可能となる時間が生じるという問題点を有している。このような問題点は、装置の保守等による場合にはサービスの継続性を損なうものであり、好ましくない。特に音声以外のデータ通信については、例えば電話回線を使用した金融システムやセキュリティシステムの情報等はデータ欠落により、サービスに支障がでるため、通信不可能時間の許容はできない。
【０００６】
以上に基づき、前述した従来技術の問題点を解決し、TDMデータ／IPパケット変換回路が冗長構成を有し、障害の発生や電話交換機が実施しているような定期切替えや保守手順による系の切替えを行うメディアゲートウェイ装置にて通信不可を起こさずに系切替えできるTDMデータ／IPパケット変換回路の切替え方法及びメディアゲートウェイ装置を提供することを課題とする。
【課題を解決するための手段】
【０００７】
本発明による通信システムは一例として、第1端末と、第2端末と、前記第1端末に接続される第1管理装置と、前記第2端末に接続されかつインターネットプロトコル（IP）ネットワークを介して前記第1管理装置と接続される第2管理装置と、前記第1管理装置及び前記第２管理装置と接続されるクロック供給装置とを有する通信システムであって、前記クロック供給装置は、前記第1管理装置及び前記第２管理装置に同期信号を送信し、前記第1管理装置は、前記第1端末と送受信する信号を変換する第1回路と、前記第1回路から信号を送信され、時分割多重データとIPパケットとを相互に変換する第1変換回路と、前記第1回路から信号を送信され、時分割多重データとIPパケットとを相互に変換する第２変換回路とを有して、前記第1変換回路と前記第2変換回路とが、前記クロック供給装置からの同期信号によってIPパケット処理を同期させる。
【０００８】
また、本発明による系切替方法は一例として、加入者収容回路と、冗長構成をとりIPネットワークに接続されるTDMデータ／IPパケット変換回路とを有し、TDMデータとIPパケットデータとの間の相互変換を行うメディアゲートウェイ装置の前記TDMデータ／IPパケット変換回路の系切替方法であって、前記冗長構成をとるTDMデータ／IPパケット変換回路に他系のTDMデータ／IPパケット変換回路との間で、待機系を運用系と同一通信設定にするための通信情報と、待機系を運用系と同期させるための同期信号と、IPネットワークから受信したIPパケットデータとをそれぞれ通信し、前記同期信号により運用系のTDMデータ／IPパケット変換回路と待機系のTDMデータ／IPパケット変換回路は常に同期して動作させ、系切替え処理を実施する間に、運用系のTDMデータ／IPパケット変換回路がIPネットワークから受信したIPパケットデータをミラーリングして待機系のTDMデータ／IPパケット変換回路に送信し、且つ運用系のTDMデータ／IPパケット変換回路と待機系のTDMデータ／IPパケット変換回路の各々について同一IPアドレスを設定する。運用系と待機系の各々でIPパケットネットワークとパケットデータ通信を実施させ、待機系のIPパケットデータ通信が保障されたあとに待機系のTDMデータ／IPパケット変換回路を運用系に、運用系のTDMデータ／IPパケット変換回路を待機系に切替えることにより、適切な系切り替えが達成される。
【発明の効果】
【０００９】
加入者収容回路と冗長構成をとりIPネットワークに接続される時分割多重（以後TDM）データ／IPパケット変換回路とを有し、TDMデータとIPパケットデータとの間の相互変換を行うメディアゲートウェイ装置において、系切替え中の通信品質の継続の向上を図り、系切替えにおける通信不可時間を無くすことができる。
【発明を実施するための最良の形態】
【００１０】
図１は本発明の一実施形態であるゲートウェイ（管理装置）の接続図である。１０と１１はゲートウェイ（管理装置）、１２と１６は加入者端末、１３はルータＡ、１４はルータＢ、１５はＩＰ網、１７はクロック供給装置、２０は第一のＴＤＭデータ・ＩＰパケット変換回路（[＃０]）、２１は第二のＴＤＭデータ・ＩＰパケット変換回路（[＃１]）、２２は加入者収容回路である。ここで、ＴＤＭデータ・ＩＰパケット変換回路は時分割多重(TDM)化されたデータ信号をＩＰパケット化し、かつＩＰパケット化されたデータ信号を時分割多重(TDM)化する回路である。なお、図示しないが、下りの情報通信のシーケンスのときには１１と１５の間にもルータを設置した構成を用いる。また、図示しないが、ゲートウェイ１１はＴＤＭデータ・ＩＰパケット変換回路を有するものであり、ゲートウェイ１０と同様の内部構成を持つものであってもよい。
【００１１】
加入者端末１２から加入者端末１６への方向を上り方向、加入者端末１６から加入者端末１２への方向を下り方向と表す。
【００１２】
加入者端末１２は電話端末やモデムなどであり、上り方向ではアナログ信号やデジタル信号（以下、データ信号とする）をゲートウェイ１０の加入者収容回路２２に送信する。また、加入者端末１２は、下り方向ではゲートウェイ１０の加入者収容回路２２からのデータ信号を受信する。
【００１３】
ゲートウェイ１０は、加入者収容回路２２とＴＤＭデータ・ＩＰパケット変換回路[＃０]２０およびＴＤＭデータ・ＩＰパケット変換回路[＃１]２１から構成される。ゲートウェイ１０は運用中のサービスを停止しないように、ＴＤＭデータ⇔ＩＰパケット変換回路を多重化（ここでは二重化）しており、データのバックアップなどの保守作業を行うため、定期的に運用系と待機系を切替える。ゲートウェイ１０は、クロック供給装置１７より、０．４ｋＨｚ、８ｋＨｚ、６４ｋＨｚ等のクロック信号（以下、クロック信号とする）を受信する。
【００１４】
加入者収容回路２２は上り方向では、加入者端末１２よりデータ信号を受信し、それをＴＤＭデータに変換し、ＴＤＭデータ・ＩＰパケット変換回路[＃０]２０とＴＤＭデータ・ＩＰパケット変換回路[＃１]２１の両方に送信する。また、加入者収容回路２２は下り方向では、ＴＤＭデータ・ＩＰパケット変換回路[＃０]２０から受信したＴＤＭデータとＴＤＭデータ・ＩＰパケット変換回路[＃１]２１から受信したＴＤＭデータのどちらかをデータ信号に変換して、加入者端末１２に送信する。
【００１５】
運用系のＴＤＭデータ・ＩＰパケット変換回路[＃０]２０（ＴＤＭデータ・ＩＰパケット変換回路[＃１]２１）（以下、基本的に、２０と２１の関連記載については括弧書きのない記載はない記載で互いに対応し、また括弧書きの記載は括弧書きの記載で互いに対応するものとする）は、上り方向では加入者収容回路２２から受信したＴＤＭデータを、対向ゲートウェイ１１を宛先としたＩＰパケットに変換し、ルータＡ１３（ルータＢ１４）に送信する。また、運用系のＴＤＭデータ・ＩＰパケット変換回路[＃０]２０（ＴＤＭデータ・ＩＰパケット変換回路[＃１]２１）は運用系時の下り方向では、ルータＡ１３（ルータＢ（１４））より受信したＩＰパケットをＴＤＭデータに変換し、加入者収容回路２２に送信する。尚、待機系のＴＤＭデータ・ＩＰパケット変換回路[＃０]２０（ＴＤＭデータ・ＩＰパケット変換回路[＃１]２１）は、上り方向のＩＰパケットの送信および下り方向のＴＤＭデータの送信を行わない。
【００１６】
系切替え時には、ＴＤＭデータ・ＩＰパケット変換回路[＃０]２０（ＴＤＭデータ・ＩＰパケット変換回路[＃１]２１）は、ＴＤＭデータ・ＩＰパケット変換回路[＃１]２１（ＴＤＭデータ・ＩＰパケット変換回路[＃０]２０）にＩＰパケットを送信するか、もしくはＴＤＭデータ・ＩＰパケット変換回路[＃１]２１（ＴＤＭデータ・ＩＰパケット変換回路[＃０]２０）よりＩＰパケットを受信する。また、系切替え時はＴＤＭデータ・ＩＰパケット変換回路[＃０]２０（ＴＤＭデータ・ＩＰパケット変換回路[＃１]２１）は、系切替え指示をＴＤＭデータ・ＩＰパケット変換回路[＃１]２１（ＴＤＭデータ・ＩＰパケット変換回路[＃０]２０）との間で送受信する。
【００１７】
また、ＴＤＭデータ・ＩＰパケット変換回路[＃０]２０（ＴＤＭデータ・ＩＰパケット変換回路[＃１]２１）は、対向ゲートウェイ情報や加入者情報などの通信情報をＴＤＭデータ・ＩＰパケット変換回路[＃１]２１（ＴＤＭデータ・ＩＰパケット変換回路[＃０]２０）との間で送受信し、お互いに通信設定を合わせこむことで、系切替えを実施した場合にも、サービスを継続させる。また、ＴＤＭデータ・ＩＰパケット変換回路[＃０]２０（ＴＤＭデータ・ＩＰパケット変換回路[＃１]２１）は、ＴＤＭデータ・ＩＰパケット変換回路[＃１]２１（ＴＤＭデータ・ＩＰパケット変換回路[＃０]２０）とＩＰパケット処理用の同期信号を送受信し、ＩＰパケット処理のタイミングを一致させる。
【００１８】
尚、ＴＤＭデータ・ＩＰパケット変換回路［＃０］２０（ＴＤＭデータ・ＩＰパケット変換回路[＃１]２１）は、運用系時には運用系ＩＰアドレスを使用し、待機系時には待機系ＩＰアドレスを使用する。運用系ＩＰアドレスと待機系ＩＰアドレスはそれぞれ、ＴＤＭデータ・ＩＰパケット変換回路［＃０］２０とＴＤＭデータ・ＩＰパケット変換回路[＃１]２１とで共通の値である。データ・ＩＰパケット変換回路[＃０]２０（ＴＤＭデータ・ＩＰパケット変換回路[＃１]２１）は系切替え時に、使用するＩＰアドレスを変更する。また、系切替えの際にデータ・ＩＰパケット変換回路[＃０]２０（ＴＤＭデータ・ＩＰパケット変換回路[＃１]２１）は、ＩＰアドレスを変更したことをルータＡ１３とルータＢ１４とＩＰ網１５とゲートウェイ１１に経路変更情報（以下、ＧＡＲＰとする）で通知する。
【００１９】
ルータＡ１３（ルータＢ１４）は、上り方向ではＴＤＭデータ・ＩＰパケット変換回路[＃０]２０（ＴＤＭデータ・ＩＰパケット変換回路[＃１]２１）から受信したゲートウェイ１１宛のＩＰパケットを、ＩＰ網１５に送信する。また、ルータＡ１３（ルータＢ１４）は、下り方向ではＩＰ網１５からゲートウェイ１０の運用系ＩＰアドレス宛のＩＰパケットを受信する。ルータＡ１３（ルータＢ１４）は、自身のもつ経路表よりゲートウェイ１０の運用系ＩＰアドレスがＴＤＭデータ・ＩＰパケット変換回路[＃０]２０（ＴＤＭデータ・ＩＰパケット変換回路[＃１]２１）と対応していると認識している場合、ゲートウェイ１０の運用系ＩＰアドレス宛のＩＰパケットをＴＤＭデータ・ＩＰパケット変換回路[＃０]２０（ＴＤＭデータ・ＩＰパケット変換回路[＃１]２１）に送信する。ルータＡ１３（ルータＢ１４）は、ＴＤＭデータ・ＩＰパケット変換回路[＃０]２０（ＴＤＭデータ・ＩＰパケット変換回路[＃１]２１）が送信したＧＡＲＰを受信することで、経路表を更新する。
【００２０】
ＩＰ網１５は、ルータ等から構成されており、上り方向ではルータＡ１３（ルータＢ１４）から受信したゲートウェイ１１宛のＩＰパケットをゲートウェイ１１に送信する。また、ＩＰ網１５は、下り方向ではゲートウェイ１１からゲートウェイ１０の運用系ＩＰアドレス宛のＩＰパケットを受信する。ＩＰ網１５は、内部の経路により、ゲートウェイ１０の運用系ＩＰアドレス宛のＩＰパケットをルータＡ１３とルータＢ１４のどちらかに送信する。また、ＩＰ網１５は、ＴＤＭデータ・ＩＰパケット変換回路[＃０]２０（ＴＤＭデータ・ＩＰパケット変換回路[＃１]２１）が送信したＧＡＲＰを受信することで、内部の経路を変更する。
【００２１】
ゲートウェイ１１は、上り方向ではＩＰ網１５から受信したＩＰパケットをデータ信号に変換し、加入者端末１６に送信する。また、ゲートウェイ１１は、下り方向では加入者端末１６から受信したデータ信号をゲートウェイ１０の運用系ＩＰアドレスを宛先としたＩＰパケットに変換し、ＩＰ網１５に送信する。また、ゲートウェイ１１はＧＡＲＰを受信したら、経路情報を更新する。尚、ゲートウェイ１１は、ゲートウェイ１０と同様にクロック供給装置１７よりクロック信号を受信する。
加入者端末１６は、電話端末やモデムなどであり、上り方向ではゲートウェイ１１からのデータ信号を受信する。また、加入者端末１６は、下り方向ではデータ信号をゲートウェイ１１に送信する。クロック供給装置１７は、クロック信号をゲートウェイ１０とゲートウェイ１１に送信する。
【００２２】
図２はゲートウェイの内部構成図である。２０ａと２１ａはＴＤＭデータＩＦ、２０ｂと２１ｂはＴＤＭデータからＩＰパケットへの変換部、２０ｃと２１ｃはＩＰパケット転送部、２０ｄと２１ｄはＩＰパケットＩＦ、２０ｅと２１ｅはＩＰパケット交絡ＩＦ、２０ｆと２１ｆはジッタバッファ、２０ｇと２１ｇはＩＰパケットからＴＤＭデータへの変換部、２０ｈと２１ｈはクロックＩＦ、２０ｉと２１ｉはクロック生成部、２０ｊと２１ｊは制御部、２０ｋと２１ｋはクロック同期ＩＦ、２０ｌと２１ｌは制御交絡ＩＦ，２２ｍはセレクタ、２２ｎはＴＤＭデータＩＦ、２２ｏは変換部、２２ｐは回線ＩＦである。
【００２３】
ＴＤＭデータ・ＩＰパケット変換回路[＃０]２０（ＴＤＭデータ・ＩＰパケット変換回路[＃１]２１）は、ＴＤＭデータＩＦ２０ａ（２１ａ）、ＴＤＭデータからＩＰパケットへの変換部２０ｂ（２１ｂ）、ＩＰパケット転送部２０ｃ（２１ｃ）、ＩＰパケットＩＦ２０ｄ（２１ｄ）、ＩＰパケット交絡ＩＦ２０ｅ（２１ｅ）、ジッタバッファ２０ｆ（２１ｆ）、ＩＰパケットからＴＤＭデータへの変換部２０ｇ（２１ｇ）、クロックＩＦ２０ｈ（２１ｈ）、クロック生成部２０ｉ（２１ｉ）、制御部２０ｊ（２１ｊ）、クロック同期ＩＦ２０ｋ（２１ｋ）、制御交絡ＩＦ２０ｌ（２１ｌ）から構成される。また、加入者収容部２２は、セレクタ２２ｍ、ＴＤＭデータＩＦ２２ｎ、変換部２２ｏ、回線ＩＦ２２ｐから構成される。
【００２４】
制御部２０ｊ（２１ｊ）は、ＴＤＭデータからＩＰパケットへの変換部２０ｂ（２１ｂ）、ＩＰパケットからＴＤＭデータへの変換部２０ｇ（２１ｇ）、ジッタバッファ２０ｆ（２１ｆ）、ＩＰパケット転送部２０ｃ（２１ｃ）、クロック生成部２０ｉ（２１ｉ）に指示を出し、各ブロックの操作を行う。制御部２０ｊ（２１ｊ）は、保守コマンドや予め決定されたスケジュールにより系切替え指示を生成し、制御交絡ＩＦ２０ｌ（２１ｌ）に送信する。また、制御部２０ｊ（２１ｊ）は、制御交絡ＩＦ２０ｌ（２１ｌ）より受信した系切替え指示により、系切替えを行う。制御部２０ｊ（２１ｊ）は、系切替え時にＧＡＲＰを生成し、ＩＰパケットＩＦ２０ｄ（２１ｄ）に送信する。制御部２０ｊ（２１ｊ）は、系切替え時にセレクタ切替え指示を生成し、制御交絡ＩＦ２０ｌ（２１ｌ）に送信する。また、制御部２０ｊ（２１ｊ）は、現在の通信設定を元に通信情報を生成し、ＩＰパケット交絡ＩＦ２０ｅ（２１ｅ）に送信する。また、制御部２０ｊ（２１ｊ）は、ＩＰパケット交絡ＩＦ２０ｅ（２１ｅ）より通信情報を受信し、通信設定を更新する。
【００２５】
ＴＤＭデータＩＦ２０ａ（２１ａ）は、上り方向ではＴＭＤデータＩＦ２２ｎから受信したＴＤＭデータをＴＤＭデータからＩＰパケットへの変換部２０ｂ（２１ｂ）に送信する。また、ＴＤＭデータＩＦ２０ａ（２１ａ）は、下り方向ではＩＰパケットからＴＤＭデータへの変換部２０ｇ（２１ｇ）から受信したＴＤＭデータＩＦ２２ｎ内部のセレクタ２２ｍに送信する。
ＴＤＭデータからＩＰパケットへの変換部２０ｂ（２１ｂ）は、上り方向ではＴＤＭデータＩＦ２０ａ（２１ａ）よりＴＤＭデータを受信し、受信したＴＤＭデータをクロック生成部２０ｉ（２１ｉ）からの２０ｍｓ周期等の同期信号（以下、同期信号とする）に合わせてＩＰパケットに変換する。そして、ＴＤＭデータからＩＰパケットへの変換部２０ｂ（２１ｂ）は生成したＩＰパケットをＩＰパケット転送部２０ｃ（２１ｃ）に送信する。
【００２６】
ＩＰパケット転送部２０ｃ（２１ｃ）は運用系時の上り方向では、ＴＤＭデータからＩＰパケットへの変換部２０ｂ（２１ｂ）より受信したＩＰパケットをＩＰパケットＩＦ２０ｄ（２１ｄ）に送信する。しかし、ＩＰパケット転送部２０ｃ（２１ｃ）は待機系時の上り方向では、ＴＤＭデータからＩＰパケットへの変換部２０ｂ（２１ｂ）より受信したＩＰパケットをＩＰパケットＩＦ２０ｄ（２１ｄ）に送信しない。ＩＰパケット転送部２０ｃ（２１ｃ）は、運用系から待機系への系切替え時の上り方向では、ＴＤＭデータ→ＩＰパケット変換部２０ｂ（２１ｂ）より受信したＩＰパケットをＩＰパケットＩＦ２０ｄ（２１ｄ）に送信することを停止する。ＩＰパケット転送部２０ｃ（２１ｃ）は、待機系から運用系への系切替え時の上り方向では、ＴＤＭデータからＩＰパケットへの変換部２０ｂ（２１ｂ）より受信したＩＰパケットをＩＰパケットＩＦ２０ｄ（２１ｄ）に送信することを開始する。
【００２７】
また、ＩＰパケット転送部２０ｃ（２１ｃ）は運用系時および待機系時の下り方向では、ＩＰパケットＩＦ２０ｄ（２１ｄ）より受信したＩＰパケットをジッタバッファ２０ｆ（２１ｆ）に送信する。ＩＰパケット転送部２０ｃ（２１ｃ）は、運用系から待機系への系切替え時の下り方向では、ＩＰパケットＩＦ２０ｄ（２１ｄ）より受信したＩＰパケットをミラーリングし、一方のＩＰパケットをジッタバッファ２０ｆ（２１ｆ）に送信し、もう一方のＩＰパケットをＩＰパケット交絡ＩＦ２０ｅ（２１ｅ）に送信する。また、ＩＰパケット転送部２０ｃ（２１ｃ）は、待機系から運用系への系切替え時の下り方向では、ＩＰパケットＩＦ２０ｄ（２１ｄ）とＩＰパケット交絡ＩＦ２０ｅ（２１ｅ）の二方向からＩＰパケットを受信し、ジッタバッファ２０ｆ（２１ｆ）に送信する。
【００２８】
ＩＰパケットＩＦ２０ｄ（２１ｄ）は、ＩＰパケット転送部２０ｃ（２１ｃ）より受信したＩＰパケットをルータＡ１３（ルータＢ１４）に送信する。また、ＩＰパケットＩＦ２０ｄ（２１ｄ）は、ルータＡ１３（ルータＢ１３）より受信したＩＰパケットをＩＰパケット転送部２０ｃ（２１ｃ）に送信する。ＩＰパケットＩＦ２０ｄ（２１ｄ）は、制御部２０ｊ（２１ｊ）より受信したＧＡＲＰをルータＡ１３（ルータＢ１４）に送信する。
【００２９】
ＩＰパケット交絡ＩＦ２０ｅ（２１ｅ）は、ＩＰパケット転送部２０ｃより受信したＩＰパケットおよび通信情報をＩＰパケット交絡ＩＦ２１ｅ（２０ｅ）に送信する。また、ＩＰパケット交絡ＩＦ２０ｅ（２１ｅ）は、ＩＰパケット交絡ＩＦ２１ｅ（２０ｅ）より受信したＩＰパケットおよび通信情報をＩＰパケット転送部２０ｃよりに送信する。
【００３０】
ジッタバッファ２０ｆ（２１ｆ）は下り方向にて、ＩＰパケット転送部２０ｃ（２１ｃ）より受信したＩＰパケットの内、宛先が自系のＩＰアドレスと一致していることを確認する。また、同一シーケンス番号のＩＰパケットを二重で受信した場合、後で受信したパケットを破棄する。バッファにＩＰパケットを一定数格納したら、クロック生成部２０ｉ（２１ｉ）からの同期信号に合わせてシーケンス番号の順番にＩＰパケットからＴＤＭデータへの変換部２０ｇ（２１ｇ）に送信する。ジッタバッファ２０ｆ（２１ｆ）は、ＩＰパケットの遅延のバラつきが大きくても、それまでに貯めたパケットを送信することで、ＴＤＭデータの欠落を回避する。
【００３１】
ＩＰパケットからＴＤＭデータへの変換部２０ｇ（２１ｇ）は下り方向にて、ジッタバッファ２０ｆ（２１ｆ）よりＩＰパケットを受信し、受信したＩＰパケットを受信したクロック生成部２０ｉ（２１ｉ）からの同期信号（例えば２０ｍｓ周期の信号）に合わせてＴＤＭデータに変換する。そして、ＩＰパケットからＴＤＭデータへの変換部２０ｇ（２１ｇ）は生成したＴＤＭデータをＴＤＭデータＩＦ２０ａ（２１ａ）に送信する。
【００３２】
クロックＩＦ２０ｈ（２１ｈ）は、クロック供給装置１７から受信したクロック信号をクロック生成部２０ｉ（２１ｉ）に送信する。
【００３３】
クロック生成部２０ｉ（２１ｉ）は、クロックＩＦ２０ｈ（２１ｈ）より受信したクロック信号より、各ブロックが動作に必要なクロックを生成し、ＴＤＭデータＩＦ２０ａ（２１ａ）、ＴＤＭデータ→ＩＰパケット変換部２０ｂ（２１ｂ）、ＩＰパケット転送部２０ｃ（２１ｃ）、ＩＰパケットＩＦ２０ｄ（２１ｄ）、ＩＰパケット交絡ＩＦ２０ｅ（２１ｅ）、ジッタバッファ２０ｆ（２１ｆ）、ＩＰパケットからＴＤＭデータへの変換部２０ｇ（２１ｇ）、クロックＩＦ２０ｈ（２１ｈ）、制御部２０ｊ（２１ｊ）、クロック同期ＩＦ２０ｋ（２１ｋ）、制御交絡ＩＦ２０ｌ（２１ｌ）に送信する。また、クロック生成部２０ｉ（２１ｉ）は、クロックＩＦ２０ｈ（２１ｈ）より受信したクロック信号より、ＩＰパケット処理用の同期信号を生成する。また、クロック生成部２０ｉ（２１ｉ）は、クロック同期ＩＦ２０ｋ（２１ｋ）からも同期信号を受信する。クロック生成部２０ｉ（２１ｉ）は、クロックＩＦ２０ｈ（２１ｈ）から受信したクロック信号より生成した同期信号とクロック同期ＩＦ２０ｋ（２１ｋ）より受信した同期信号のどちらかをＴＤＭデータ→ＩＰパケット変換部２０ｂ（２１ｂ）とＩＰパケット→ＴＤＭデータ変換部２０ｇ（２１ｇ）およびジッタバッファ２０ｆ（２１ｆ）に送信する。
【００３４】
クロック同期ＩＦ２０ｋ（２１ｋ）は、クロック生成部２０ｉ（２１ｉ）より受信した同期信号をクロック同期ＩＦ２１ｋ（２０ｋ）に送信する。また、クロック同期ＩＦ２０ｋ（２１ｋ）は、クロック同期ＩＦ２１ｋ（２０ｋ）より受信した同期信号をクロック生成部２０ｉ（２１ｉ）に送信する。
【００３５】
制御交絡ＩＦ２０ｌ（２１ｌ）は、制御部２０ｊ（２１ｊ）より受信した系切替え指示を、制御交絡ＩＦ２１ｌ（２０ｌ）に送信する。また、制御交絡ＩＦ２０ｌ（２１ｌ）は、制御交絡ＩＦ２１ｌ（２０ｌ）より受信した系切替え指示を制御部２０ｊ（２１ｊ）に送信する。また、制御交絡ＩＦ２０ｌ（２１ｌ）は、制御部２０ｊ（２１ｊ）より受信した、セレクタ切替え指示をセレクタ２２ｍに送信する。
【００３６】
ＴＤＭデータＩＦ２２ｎは、セレクタ２２ｍから構成される。ＴＤＭデータＩＦ２２ｎは上り方向にて、変換部２２ｏから受信したＴＤＭデータをＴＤＭデータＩＦ２０ａおよびＴＤＭデータＩＦ２１ａに送信する。また、ＴＤＭデータＩＦ２２ｎは下り方向では、ＴＤＭデータＩＦ２０ａおよびＴＤＭデータＩＦ２１ａからＴＤＭデータを受信する。ＴＤＭデータＩＦ２２ａはＴＤＭデータＩＦ２０ａから受信したＴＤＭデータと、ＴＤＭデータＩＦ２１ａから受信したＴＤＭデータのどちらかを選択し、変換部２２ｏに送信する。また、ＴＤＭデータＩＦ２２ｎは、制御交絡ＩＦ２０ｌ（２１ｌ）よりセレクタ切替え指示を受信する。
【００３７】
セレクタ２２ｍは、下り方向にてＴＤＭデータＩＦ２０ａから受信したＴＤＭデータと、ＴＤＭデータＩＦ２１ａから受信したＴＤＭデータのどちらを変換部２２ｏに送信するかを決定する。どちらのデータを選択するかは、制御交絡ＩＦ２０ｌ（２１ｌ）より受信したセレクタ切替え指示に従う。
【００３８】
変換部２２ｏは上り方向にて、回線ＩＦ２２ｐより受信したデータ信号をＴＤＭデータに変換して、ＴＤＭデータＩＦ２２ｎに送信する。また、変換部２２ｏは下り方向にて、ＴＤＭデータＩＦ２２ｎより受信したＴＤＭデータをデータ信号に変換して、回線ＩＦ２２ｐに送信する。
回線ＩＦ２２ｐは上り方向にて、加入者端末１２から受信したデータ信号を変換部２２ｎに送信する。また、回線ＩＦ２２ｐは下り方向にて、変換部２２ｎより受信したデータ信号を加入者端末１２に送信する。
【００３９】
ＴＤＭデータ・ＩＰパケット変換回路[＃０]２０（ＴＤＭデータ・ＩＰパケット変換回路[＃０]２１）が運用系であり、ＴＤＭデータ・ＩＰパケット変換回路[＃０]２１（ＴＤＭデータ・ＩＰパケット変換回路[＃０]２０）が待機系である場合の上り方向の流れと下り方向の流れについて説明する。    
運用系ＩＰアドレスをＡ、待機系ＩＰアドレスをＢとする。直前の系切替えにより、ＴＤＭデータ・ＩＰパケット変換回路[＃０]２０（ＴＤＭデータ・ＩＰパケット変換回路[＃０]２１）にＩＰアドレスＡが設定され、ＴＤＭデータ・ＩＰパケット変換回路[＃０]２１（ＴＤＭデータ・ＩＰパケット変換回路[＃０]２０）にＩＰアドレスＢが設定されている。また、ルータＡ１３とルータＢ１４共に、ＩＰアドレスＡがＴＤＭデータ・ＩＰパケット変換回路[＃０]２０（ＴＤＭデータ・ＩＰパケット変換回路[＃０]２１）、ＩＰアドレスＢがＴＤＭデータ・ＩＰパケット変換回路[＃０]２１（ＴＤＭデータ・ＩＰパケット変換回路[＃０]２０）と認識している。そして、ＩＰ網１５はＩＰアドレスＡ宛のパケットをルータＡ１３に送信する経路と、ＩＰアドレスＢ宛のパケットをルータＢ１４に送信する経路を確立している。セレクタ２２ｍは、ＴＭＤデータＩＦ２０ａ（２０ｂ）からのＴＤＭデータを選択している。また、制御部２０ｊ（２１ｊ）と制御部２１ｊ（２０ｊ）は、ＩＰパケット交絡ＩＦを介して、通信情報を送受信することで、お互いで通信情報を一致させる。そして、クロック生成部２０ｉ（２１ｉ）は自身が生成した同期信号を使用し、クロック生成部２１ｉもクロック同期ＩＦ２０ｋ（２１ｋ）およびクロック同期ＩＦ２１ｋ（２０ｋ）経由で受信したクロック生成部２０ｉ（２１ｉ）からの同期信号を使用する。これにより、ＴＤＭデータからＩＰパケットへの変換部２０ｂとＴＤＭデータからＩＰパケットへの変換部２１ｂとＩＰパケットからＴＤＭデータへの変換部２０ｇとＩＰパケットからＴＤＭデータへの変換部２１ｇとジッタバッファ２０ｆとジッタバッファ２１ｆが使用する同期信号を同一にする。
【００４０】
まず、上り方向の流れについて説明する。加入者端末１２は、電話発信などによりデータ信号を回線ＩＦ２２ｐに送信する。回線ＩＦ２２ｐは、変換部２２ｏにデータ信号を送信する。変換部２２ｏは、回線ＩＦ２２ｐより受信したデータ信号をＴＤＭデータに変換して、ＴＤＭデータＩＦ２２ｎに送信する。ＴＤＭデータＩＦ２２ｎは変換部２２ｏより受信したＴＤＭデータをＴＤＭデータＩＦ２０ａおよびＴＤＭデータＩＦ２１ａに送信する。ＴＤＭデータＩＦ２０ａ（２１ａ）は、ＴＤＭデータＩＦ２２ｎより受信したＴＤＭデータをＴＤＭデータからＩＰパケットへの変換部２０ｂ（２１ｂ）に送信する。ＴＤＭデータからＩＰパケットへの変換部２０ｂ（２１ｂ）は、ＴＤＭデータＩＦ２０ａ（２１ａ）より受信したＴＤＭデータを、クロック生成部２０ｉ（２１ｉ）より受信した同期信号のタイミングに合わせてゲートウェイ１１を宛先としたＩＰパケットに変換する。ＴＤＭデータからＩＰパケットへの変換部２０ｂ（２１ｂ）は、生成したゲートウェイ１１宛のＩＰパケットをＩＰパケット転送部２０ｃ（２１ｃ）に送信する。同様にＴＤＭデータからＩＰパケットへの変換部２１ｂ（２０ｂ）は、ＴＤＭデータＩＦ２１ａ（２０ａ）より受信したＴＤＭデータを、クロック生成部２１ｉ（２０ｉ）より受信した同期信号のタイミングに合わせてゲートウェイ１１を宛先としたＩＰパケットに変換する。尚、後述する方法で、ＴＤＭデータからＩＰパケットへの変換部２０ｂ（２１ｂ）が生成するＩＰパケットとＴＤＭデータからＩＰパケットへの変換部２１ｂ（２０ｂ）が生成するＩＰパケットを同一にする。そして、ＴＤＭデータからＩＰパケットへの変換部２１ｂ（２０ｂ）は、生成したゲートウェイ１１宛のＩＰパケットをＩＰパケット転送部２１ｃ（２０ｃ）に送信する。ＩＰパケット転送部２０ｃは、ＴＤＭデータからＩＰパケットへの変換部２０ｂ（２１ｂ）より受信したゲートウェイ１１宛のＩＰパケットをＩＰパケットＩＦ２０ｄ（２１ｄ）に送信する。しかし、ＩＰパケット転送部２１ｃ（２０ｃ）は生成したゲートウェイ１１宛のＩＰパケットを破棄する。ＩＰパケットＩＦ２０ｄ（２１ｄ）は、ＩＰパケット転送部２０ｃ（２１ｃ）より受信したゲートウェイ１１宛のＩＰパケットをルータＡ１３（ルータＢ１４）に送信する。ルータＡ１３（ルータＢ１４）は、パケットＩＦ２０ｄ（２１ｄ）より受信したゲートウェイ１１宛のＩＰパケットをＩＰ網１５に送信する。ＩＰ網１５は、ルータＡ１３（ルータＢ１４）より受信したゲートウェイ１１宛のＩＰパケットをゲートウェイ１１に送信する。ゲートウェイ１１は、ＩＰ網１５より受信したＩＰパケットをデータ信号に変換し、加入者端末１６に送信する。加入者端末１６は、ゲートウェイ１１よりデータ信号を受信する。
次に下り方向の流れについて説明する。加入者端末１６は、電話発信などによりデータ信号をゲートウェイ１１に送信する。ゲートウェイ１１はデータ信号をＩＰアドレスＡ宛のＩＰパケットに変換し、ＩＰ網１５に送信する。ＩＰ網１５は、ゲートウェイ１１より受信したＩＰアドレスＡ宛のＩＰパケットを受信し、ルータＡ１３（ルータＢ１４）に送信する。ルータＡ１３（ルータＢ１４）はＩＰ網１５より受信したＩＰアドレスＡ宛のパケットをＩＰパケットＩＦ２０ｄ（２１ｄ）に送信する。
【００４１】
ＩＰパケットＩＦ２０ｄ（２１ｄ）は、ルータＡ１３（ルータＢ１４）より受信したＩＰアドレスＡ宛のＩＰパケットをＩＰパケット転送部２０ｃ（２１ｃ）に送信する。ＩＰパケット転送部２０ｃ（２１ｃ）は、ＩＰパケットＩＦ２０ｄ（２１ｄ）より受信したＩＰアドレスＡ宛のＩＰパケットをジッタバッファ２０ｆ（２１ｆ）に送信する。ジッタバッファ２０ｆ（２１ｆ）は、ＩＰパケット転送部２０ｃ（２１ｃ）より受信したＩＰパケットの宛先が自分であることを確認し、バッファに格納する。バッファに一定数格納したら、クロック生成部２０ｉ（２１ｉ）からの同期信号に合わせてシーケンス番号の順番にＩＰパケットからＴＤＭデータへの変換部２０ｇ（２１ｇ）に送信する。ＩＰパケットからＴＤＭデータへの変換部２０ｇ（２１ｇ）は、クロック生成部２０ｉ（２１ｉ）からの同期信号に合わせてジッタバッファ２０ｆ（２１ｆ）から受信したＩＰパケットをＴＤＭデータ変換して、ＴＤＭデータＩＦ２０ａ（２１ａ）に送信する。ＴＤＭデータＩＦ２０ａ（２１ａ）は、ＩＰパケットからＴＤＭデータへの変換部２０ｇ（２１ｇ）から受信したＴＤＭデータを、ＴＤＭデータＩＦ２２ｎに送信する。ＴＤＭデータＩＦ２２ｎは、セレクタ２２ｍで選択されているＴＤＭデータ２０ａ（２１ａ）から受信したＴＤＭデータを、変換部２２ｏに送信する。変換部２２ｏはＴＤＭデータＩＦ２２ｎより受信したＴＤＭデータをデータ信号に変換して、回線ＩＦ２２ｐに送信する。回線ＩＦ２２ｐは、受信したデータ信号を加入者端末１２に送信する。加入者端末１２は、回線ＩＦ２２ｐよりデータ信号を受信する。
【００４２】
図３は、ＴＤＭデータ・ＩＰパケット変換回路[＃０]２０（ＴＤＭデータ・ＩＰパケット変換回路[＃１]２１）が運用系、ＴＤＭデータ・ＩＰパケット変換回路[＃１]２１（ＴＤＭデータ・ＩＰパケット変換回路[＃０]２０）が待機系の状態から、ＴＤＭデータ・ＩＰパケット変換回路[＃１]２１（ＴＤＭデータ・ＩＰパケット変換回路[＃０]２０）が運用系、ＴＤＭデータ・ＩＰパケット変換回路[＃０]２０（ＴＤＭデータ・ＩＰパケット変換回路[＃１]２１）が待機系に切替える場合の動作シーケンスを上り方向の流れについて説明した図である。
【００４３】
初めは、ＴＤＭデータ・ＩＰパケット変換回路[＃０]２０（ＴＤＭデータ・ＩＰパケット変換回路[＃１]２１）は運用系であり、ＩＰアドレスＡを使用する（ステップ３００、３０１）。また、ＴＤＭデータ・ＩＰパケット変換回路[＃１]２１（ＴＤＭデータ・ＩＰパケット変換回路[＃０]２０）は待機系であり、ＩＰアドレスＢを使用する（ステップ３０２、３０３）。加入者端末１２は、電話発信などにより加入者収容回路２２にデータ信号を送信する（ステップ３０４）。また、加入者収容回路は、加入者端末１２から受信したデータ信号をＴＤＭデータに変換し、ＴＤＭデータ・ＩＰパケット変換回路[＃０]２０およびＴＤＭデータ・ＩＰパケット変換回路[＃１]２１に送信する（ステップ３０５、３０６）。ＴＤＭデータ・ＩＰパケット変換回路[＃０]２０（ＴＤＭデータ・ＩＰパケット変換回路[＃１]２１）は、ＴＤＭデータをゲートウェイ１１宛のＩＰパケットに変換し、ルータＡ１３（ルータＢ１４）経由でＩＰ網１５に送信する（ステップ３０７）。尚、ＴＤＭデータ・ＩＰパケット変換回路[＃１]２１（ＴＤＭデータ・ＩＰパケット変換回路[＃０]２０）は、ＩＰパケット転送部２１ｃ（２０ｃ）にて変換したＩＰパケットの送信を停止しているため、ＩＰ網１５宛にＩＰパケットを送信しない。
【００４４】
次に系切替え中の上り方向の流れについて説明する。制御部２０ｊ（２１ｊ）は、保守コマンドや予め決定されたスケジュールにより系切替え指示（ＴＤＭデータ・ＩＰパケット変換回路[＃１]２１（ＴＤＭデータ・ＩＰパケット変換回路[＃０]２０）運用系化）を生成し、制御交絡ＩＦ２０ｌ（２１ｌ）に送信する。制御交絡ＩＦ２０ｌ（２１ｌ）は、制御部２０ｊ（２１ｊ）から受信した系切替え指示（ＴＤＭデータ・ＩＰパケット変換回路[＃１]２１（ＴＤＭデータ・ＩＰパケット変換回路[＃０]２０）運用系化）を制御交絡ＩＦ２１ｌ（２０ｌ）に送信する（ステップ３０８）。制御交絡ＩＦ２１ｌ（２０ｌ）は受信した系切替え指示（ＴＤＭデータ・ＩＰパケット変換回路[＃１]２１（ＴＤＭデータ・ＩＰパケット変換回路[＃０]２０）運用系化）を制御部２１ｊ（２０ｊ）に送信する。制御部２１ｊ（２０ｊ）は、制御交絡ＩＦ２１ｌ（２０ｌ）により、系切替え指示（ＴＤＭデータ・ＩＰパケット変換回路[＃１]２１（ＴＤＭデータ・ＩＰパケット変換回路[＃０]２０）運用系化）を受信し、待機系から運用系に切替え、ＩＰアドレスＢからＩＰアドレスＡに変更する（ステップ３０９）。
【００４５】
ＩＰパケット転送部２１ｃ（２０ｃ）は運用系化したことで、ＴＤＭデータからＩＰパケット変換部２１ｂ（２０ｂ）から受信しているゲートウェイ１１宛のＩＰパケットのＩＰパケットＩＦ２１ｄ（２０ｄ）への送信を開始する。ＩＰパケットＩＦ２１ｄは、ルータ１４を経由してＩＰ網１５にゲートウェイ１１宛のＩＰパケットを送信する（ステップ３１０）。この時点では、加入者端末１２からのデータ信号は加入者収容回路２２にてＴＤＭデータに変換され、ＴＤＭデータ・ＩＰパケット変換回路[＃１]２１とＴＤＭデータ・ＩＰパケット変換回路[＃０]２０の両方に送信される。（ステップ３２２、３２３、３２５）。ＴＤＭデータ・ＩＰパケット変換回路[＃１]２１は、受信したＴＤＭデータをゲートウェイ１１宛のＩＰパケットに変換し、ＩＰ網１５に送信する（ステップ３２４）。同様にＴＤＭデータ・ＩＰパケット変換回路[＃１]２１は、受信したＴＤＭデータをゲートウェイ１１宛のＩＰパケットに変換し、ＩＰ網１５に送信する。（ステップ３３０）尚、後述する方法で、ＴＤＭデータからＩＰパケットへの変換部２０ｂが生成するゲートウェイ１１宛のＩＰパケットは、ＴＤＭデータからＩＰパケットへの変換部２１ｂが生成するゲートウェイ１１宛のＩＰパケットは同一にする。これにより、ＴＤＭデータ・ＩＰパケット変換回路[＃０]２０がＩＰ網１５に送信するゲートウェイ１１宛のＩＰパケットとＴＤＭデータ・ＩＰパケット変換回路[＃１]２１がＩＰ網１５に送信するＩＰパケットは同一になる。
【００４６】
ＩＰ網１５へのＩＰパケットの送信を開始したら、制御部２１ｊ（２０ｊ）は、系切替え指示（ＴＤＭデータ・ＩＰパケット変換回路[＃０]２０（ＴＤＭデータ・ＩＰパケット変換回路[＃１]２１）待機系化）を生成し、制御交絡ＩＦ２１ｌ（２０ｌ）に送信する。制御交絡ＩＦ２１ｌ（２０ｌ）は、制御部２０ｊ（２１ｊ）から受信した系切替え指示（ＴＤＭデータ・ＩＰパケット変換回路[＃０]２０（ＴＤＭデータ・ＩＰパケット変換回路[＃１]２１）待機系化）を制御交絡ＩＦ２０ｌ（２１ｌ）に送信する（ステップ３１１）
制御部２０ｊ（２１ｊ）は、制御交絡ＩＦ２０ｌ（２１ｌ）より系切替え指示（ＴＤＭデータ・ＩＰパケット変換回路[＃０]２０（ＴＤＭデータ・ＩＰパケット変換回路[＃１]２１）待機系化）を受信し、運用系から待機系に切替え、ＩＰアドレスＡからＩＰアドレスＢに変更する（ステップ３１２）。
ＩＰパケット転送部２０ｃ（２１ｃ）は、待機系化によりＴＤＭデータからＩＰパケット変換部２０ｂ（２１ｂ）から受信しているゲートウェイ１１宛のＩＰパケットのＩＰパケットＩＦ２０ｄ（２１ｄ）への送信を停止する。これにより、ＴＤＭデータ・ＩＰパケット変換回路[＃０]２０（ＴＤＭデータ・ＩＰパケット変換回路[＃１]２１）は、ゲートウェイ１１宛のＩＰパケットのＩＰ網１５への送信を停止する（ステップ３１３）。
【００４７】
この時点では、加入者端末１２からのデータ信号は加入者収容回路２２にてＴＤＭデータに変換され、ＴＤＭデータ・ＩＰパケット変換回路[＃１]２１とＴＤＭデータ・ＩＰパケット変換回路[＃０]２０の両方に送信される。（ステップ３２６、３２７、３２９）。ＴＤＭデータ・ＩＰパケット変換回路[＃１]２１およびＴＤＭデータ・ＩＰパケット変換回路[＃０]２０はそれぞれＩＰパケットへの変換処理を行う。しかし、ＴＤＭデータ・ＩＰパケット変換回路[＃１]２１（ＴＤＭデータ・ＩＰパケット変換回路[＃０]２０）のみがゲートウェイ１１宛のＩＰパケットをＩＰ網１５に送信する（ステップ３２８）。以上により、系切替えは完了する。
【００４８】
系切替え後、ＴＤＭデータ・ＩＰパケット変換回路[＃１]２１（ＴＤＭデータ・ＩＰパケット変換回路[＃０]２０）は運用系であり、ＩＰアドレスＡを使用する（ステップ３１６、３１７）。また、ＴＤＭデータ・ＩＰパケット変換回路[＃０]２０（ＴＤＭデータ・ＩＰパケット変換回路[＃１]２１）は待機系であり、ＩＰアドレスＢを使用する（ステップ３１４、３１５）。加入者端末１２は、加入者収容回路２２にデータ信号を送信する（ステップ３１８）。また、加入者収容回路は、加入者端末１２から受信したデータ信号をＴＤＭデータに変換し、ＴＤＭデータ・ＩＰパケット変換回路[＃０]２０およびＴＤＭデータ・ＩＰパケット変換回路[＃１]２１に送信する（ステップ３１９、３２０）。ＴＤＭデータ・ＩＰパケット変換回路[＃１]２１（ＴＤＭデータ・ＩＰパケット変換回路[＃０]２０）は、受信したＴＤＭデータをゲートウェイ１１宛のＩＰパケットに変換し、ルータＢ１４（ルータＡ１３）経由でＩＰ網１５に送信する（ステップ３２１）。
【００４９】
図４は、ＴＤＭデータ・ＩＰパケット変換回路[＃０]２０（ＴＤＭデータ・ＩＰパケット変換回路[＃１]２１）が運用系、ＴＤＭデータ・ＩＰパケット変換回路[＃１]２１（ＴＤＭデータ・ＩＰパケット変換回路[＃０]２０）が待機系の状態から、ＴＤＭデータ・ＩＰパケット変換回路[＃１]２１（ＴＤＭデータ・ＩＰパケット変換回路[＃０]２０）が運用系、ＴＤＭデータ・ＩＰパケット変換回路[＃０]２０（ＴＤＭデータ・ＩＰパケット変換回路[＃１]２１）が待機系に切替える場合の動作シーケンスを下り方向の流れについて説明した図である。
【００５０】
初めは、ＴＤＭデータ・ＩＰパケット変換回路[＃０]２０（ＴＤＭデータ・ＩＰパケット変換回路[＃１]２１）は運用系であり、ＩＰアドレスＡを使用する（ステップ３００、３０１）。また、ＴＤＭデータ・ＩＰパケット変換回路[＃１]２１（ＴＤＭデータ・ＩＰパケット変換回路[＃０]２０）は待機系であり、ＩＰアドレスＢを使用する（ステップ３０２、３０３）。セレクタ２２ｍは、ＴＤＭデータ・ＩＰパケット変換回路[＃０]２０（ＴＤＭデータ・ＩＰパケット変換回路[＃１]２１）からのＴＤＭデータを選択している（ステップ５１３）。ＩＰ網１５はＩＰアドレスＡ宛のＩＰパケットをルータＡ１３（ルータＢ１４）経由で、ＴＤＭデータ・ＩＰパケット変換回路[＃０]２０（ＴＤＭデータ・ＩＰパケット変換回路[＃１]２１）に送信する（ステップ５０１）。ＴＤＭデータ・ＩＰパケット変換回路[＃０]２０（ＴＤＭデータ・ＩＰパケット変換回路[＃１]２１）は、ＩＰ網１５から受信したＩＰパケットをＴＤＭデータに変換し、加入者収容回路２２に送信する（ステップ５０２）。加入者収容回路は、ＴＤＭデータ・ＩＰパケット変換回路[＃０]２０（ＴＤＭデータ・ＩＰパケット変換回路[＃１]２１）から受信したＴＤＭデータをデータ信号に変換して、加入者収容端末１２に送信する（ステップ５０３）。
【００５１】
次に系切替え中の下り方向の流れについて説明する。制御部２０ｊ（２１ｊ）は、保守コマンドや予め決定されたスケジュールにより系切替え指示（ＴＤＭデータ・ＩＰパケット変換回路[＃１]２１（ＴＤＭデータ・ＩＰパケット変換回路[＃０]２０）運用系化）を生成し、制御交絡ＩＦ２０ｌ（２１ｌ）に送信する。制御交絡ＩＦ２０ｌ（２１ｌ）は、制御部２０ｊ（２１ｊ）から受信した系切替え指示（ＴＤＭデータ・ＩＰパケット変換回路[＃１]２１（ＴＤＭデータ・ＩＰパケット変換回路[＃０]２０）運用系化）を制御交絡ＩＦ２１ｌ（２０ｌ）に送信する（ステップ３０８）。
【００５２】
また、系切替え指示（ＴＤＭデータ・ＩＰパケット変換回路[＃１]２１（ＴＤＭデータ・ＩＰパケット変換回路[＃０]２０）運用系化）を送信したら、パケット転送部２０ｃ（２１ｃ）は、ＩＰパケットＩＦ２０ｄ（２１ｄ）より受信したＩＰアドレスＡ宛のＩＰパケットをミラーリングし、一方をジッタバッファ２０ｆ（２１ｆ）に送信し、もう一方をＩＰパケット交絡ＩＦ２０ｅ（２１ｅ）に送信する（ステップ５０４）。ＩＰパケット交絡ＩＦ２０ｅ（２１ｅ）はパケット転送部２０ｃ（２１ｃ）より受信したＩＰアドレスＡ宛のＩＰパケットをＩＰパケット交絡ＩＦ２１ｅ（２０ｅ）に送信する（ステップ５０５）。ＩＰパケット交絡ＩＦ２１ｅ（２０ｅ）はＩＰパケット交絡ＩＦ２１ｅ（２０ｅ）より受信したＩＰアドレスＡ宛のＩＰパケットをジッタバッファ２１ｆ（２０ｆ）に送信する。この時点ではＴＤＭデータ・ＩＰパケット変換回路[＃１]２１（ＴＤＭデータ・ＩＰパケット変換回路[＃０]２０）のＩＰアドレスはＢのため、ジッタバッファ２１ｆ（２０ｆ）はＩＰパケット交絡ＩＦ２１ｅ（２０ｅ）より受信したＩＰアドレスＡ宛のＩＰパケットを破棄する。
【００５３】
また、制御交絡ＩＦ２１ｌ（２０ｌ）は、制御交絡ＩＦ２０ｌ（２１ｌ）より系切替え指示（ＴＤＭデータ・ＩＰパケット変換回路[＃１]２１（ＴＤＭデータ・ＩＰパケット変換回路[＃０]２０）運用系化）を受信したら、制御部２１ｊ（２０ｊ）に送信する。制御部２１ｊ（２０ｊ）は、制御交絡ＩＦ２１ｌ（２０ｌ）により、系切替え指示（ＴＤＭデータ・ＩＰパケット変換回路[＃１]２１（ＴＤＭデータ・ＩＰパケット変換回路[＃０]２０）運用系化）を受信し、待機系から運用系に切替え、ＩＰアドレスＢからＩＰアドレスＡに変更する（ステップ３０９）。ジッタバッファ２１ｆ（２０ｆ）は、自身のＩＰアドレスがＡになるので、ＩＰパケット交絡ＩＦ２１ｅ（２０ｅ）より受信したＩＰアドレスＡ宛のＩＰパケットを破棄せず、シーケンス番号が重複する場合は後で受信したものを破棄してバッファに格納するようになる。バッファに一定数格納したら、クロック生成部２１ｉ（２０ｉ）からの同期信号のタイミングでシーケンス番号の順番にＩＰパケットからＴＤＭデータへの変換部２１ｇ（２０ｇ）に送信する。ＩＰパケットからＴＤＭデータへの変換部２１ｇ（２０ｇ）は、ジッタバッファ２１ｆ（２０ｆ）より受信したＩＰパケットをクロック生成部２１ｉ（２０ｉ）からの同期信号のタイミングで、ＴＤＭデータに変換する。ＩＰパケットからＴＤＭデータへの変換部２１ｇ（２０ｇ）は、生成したＴＤＭデータをＴＤＭデータＩＦ２１ａ（２０ａ）に送信する。ＴＤＭデータＩＦ２１ａ（２０ａ）は、ＩＰパケットからＴＤＭデータへの変換部２１ｇ（２０ｇ）より受信したＴＤＭデータをＴＤＭデータＩＦ２２ｎに送信する（ステップ５０６）。尚、後述する方法により、ＩＰパケットからＴＤＭデータへの変換部２１ｂが生成するＴＤＭデータと、ＴＤＭデータからＩＰパケットへの変換部２０ｂが生成するＴＤＭデータを同一にする。これにより、ＴＤＭデータ・ＩＰパケット変換回路[＃１]２１（ＴＤＭデータ・ＩＰパケット変換回路[＃０]２０）が送信するＴＤＭデータとＴＤＭデータ・ＩＰパケット変換回路[＃１]２１（ＴＤＭデータ・ＩＰパケット変換回路[＃０]２０）が送信するＴＤＭデータは同一になる。
【００５４】
また、運用系化後、制御部２１ｊ（２０ｊ）は、セレクタ切替え指示を制御交絡ＩＦ２１ｌ（２０ｌ）に送信する。制御交絡ＩＦ２１ｌ（２０ｌ）は、制御部２１ｊ（２０ｊ）より受信したセレクタ切替え指示をセレクタ２２ｍに送信する（ステップ５１３）。セレクタ２２ｍは、制御部２１ｊ（２０ｊ）から受信した切替え指示により、変換部２２ｏに送信するＴＤＭデータをＴＤＭデータＩＦ２０ａから受信しているＴＤＭデータからＴＤＭデータＩＦ２１ａから受信しているＴＤＭデータに変更する（ステップ５０７）。
【００５５】
この時点では、ＩＰ網１５からのＩＰアドレスＡ宛のＩＰパケットは、ＴＤＭデータ・ＩＰパケット変換回路[＃０]２０（ＴＤＭデータ・ＩＰパケット変換回路[＃１]２１）に到達する（ステップ５１８）。しかし、ＴＤＭデータ・ＩＰパケット変換回路[＃０]２０（ＴＤＭデータ・ＩＰパケット変換回路[＃１]２１）は、ＩＰパケットをＴＤＭデータに変換して、加入者収容回路２２に送信するが、セレクタ２２ｍはＴＤＭデータ・ＩＰパケット変換回路[＃１]２１（ＴＤＭデータ・ＩＰパケット変換回路[＃０]２０）を選択しているため、ＴＤＭデータ・ＩＰパケット変換回路[＃０]２０（ＴＤＭデータ・ＩＰパケット変換回路[＃１]２１）が送信したＴＤＭデータは変換されない（ステップ５１９）。また、ＴＤＭデータ・ＩＰパケット変換回路[＃０]２０（ＴＤＭデータ・ＩＰパケット変換回路[＃１]２１）は受信したＩＰアドレスＡ宛のＩＰパケットをＴＤＭデータ・ＩＰパケット変換回路[＃１]２１（ＴＤＭデータ・ＩＰパケット変換回路[＃０]２０）に送信する（ステップ５２０）。ＴＤＭデータ・ＩＰパケット変換回路[＃１]２１（ＴＤＭデータ・ＩＰパケット変換回路[＃０]２０）はＴＤＭデータ・ＩＰパケット変換回路[＃０]２０（ＴＤＭデータ・ＩＰパケット変換回路[＃１]２１）より受信したＩＰアドレスＡ宛のＩＰパケットをＴＤＭデータに変換し、加入者収容回路２２に送信する（ステップ５２１）。加入者収容回路２２は、セレクタ２２ｍがＴＤＭデータ・ＩＰパケット変換回路[＃１]２１（ＴＤＭデータ・ＩＰパケット変換回路[＃０]２０）を選択しているため、ＴＤＭデータ・ＩＰパケット変換回路[＃１]２１（ＴＤＭデータ・ＩＰパケット変換回路[＃０]２０）より受信したＴＤＭデータをデータ信号に変換し、加入者端末１２に送信する（ステップ５２２）。次に制御部２１ｊ（２０ｊ）は、ＧＡＲＰをＩＰパケットＩＦ２０ｄ（２１ｄ）に送信する。ＩＰパケットＩＦ２１ｄ（２０ｄ）は制御部２１ｊ（２０ｊ）より受信したＧＡＲＰをルータＡ１３とルータＢ１４とＩＰ網１５とゲートウェイ１１に送信する。
【００５６】
ＧＡＲＰにより、ＩＰ網１５およびルータＡ１３およびルータＢ１４のＩＰアドレスＡとＩＰアドレスＢに対する経路情報が変更される。ＩＰ網１５は、ＩＰアドレスＡ宛のＩＰパケットはルータＢ１４（ルータＡ１３）を経由して、ＩＰパケットＩＦ２１ｄ（２０ｄ）に送信するようになる（ステップ５０９、５１４）。
【００５７】
ＩＰパケットＩＦ２１ｄ（２０ｄ）は、ＩＰ網１５より受信したＩＰパケットをＩＰパケット転送部２１ｃ（２０ｃ）に送信する。ＧＡＲＰ直後は、ＩＰパケットＩＦ２０ｄ（２１ｄ）もＩＰアドレスＡ宛のＩＰパケットを受信する可能性がある。そのため、ＩＰパケット転送部２１ｃ（２０ｃ）はＩＰパケット交絡ＩＦ２１ｅ（２０ｅ）とＩＰパケットＩＦ２１ｄ（２０ｄ）の二方向からＩＰアドレスＡ宛のＩＰパケットを受信する可能性がある。ＩＰパケット転送部２１ｃ（２０ｃ）は、二方向から受信したＩＰパケットをジッタバッファ２１ｆ（２０ｆ）に送信する。ジッタバッファ２１ｆ（２０ｆ）は、シーケンス番号が重複しているパケットについては後で受信した方を破棄してバッファに格納し、シーケンス番号の順番にＩＰパケットからＴＤＭデータへの変換部２１ｇ（２０ｇ）に送信することでＩＰパケットの整合を取る。ＩＰパケットからＴＤＭデータへの変換部２１ｇ（２０ｇ）はＩＰパケットをＴＤＭデータに変換して、ＴＤＭデータＩＦ２１ａ（２０ａ）に送信する。ＴＤＭデータＩＦ２１ａ（２０ａ）は、受信したＴＤＭデータをＴＤＭデータＩＦ２２ｎに送信する（ステップ５２３）。加入者収容回路２２は、ＴＤＭデータ・ＩＰパケット変換回路[＃１]２１（ＴＤＭデータ・ＩＰパケット変換回路[＃０]２０）より受信したＴＤＭデータをデータ信号に変換し、加入者端末１２に送信する（ステップ５２４）。
【００５８】
ＩＰパケットＩＦ２１ｄにてＩＰアドレスＡ宛のＩＰパケットを受信できたら、制御部２１ｊ（２０ｊ）は、系切替え指示（ＴＤＭデータ・ＩＰパケット変換回路[＃０]２０（ＴＤＭデータ・ＩＰパケット変換回路[＃１]２１）待機系化）を生成し、制御交絡ＩＦ２１ｌ（２０ｌ）に送信する。制御交絡ＩＦ２１ｌ（２０ｌ）は、制御部２１ｊ（２０ｊ）から受信した系切替え指示（ＴＤＭデータ・ＩＰパケット変換回路[＃０]２０（ＴＤＭデータ・ＩＰパケット変換回路[＃１]２１）待機系化）を制御交絡ＩＦ２０ｌ（２１ｌ）に送信する（ステップ３１２）。制御交絡ＩＦ２０ｌ（２１ｌ）は、制御交絡ＩＦ２１ｌ（２０ｌ）より受信した系切替え指示（ＴＤＭデータ・ＩＰパケット変換回路[＃０]２０（ＴＤＭデータ・ＩＰパケット変換回路[＃１]２１）待機系化）を制御部２０ｊ（２１ｊ）に送信する。制御部２０ｊ（２１ｊ）は、制御交絡ＩＦ２０ｌ（２１ｌ）により、系切替え指示を受信し、運用系から待機系に切替え、ＩＰアドレスＡからＩＰアドレスＢに変更する（ステップ３１２）。
【００５９】
ＩＰパケット転送部２１ｃ（２０ｃ）は、待機系化によりＩＰパケット転送部２０ｃ（２１ｃ）でのミラーリングを終了する（ステップ５１６）。また、ジッタバッファ２０ｆ（２１ｆ）は、自身のＩＰアドレスがＢになるので、ＩＰアドレスＡ宛のＩＰパケットを破棄する。これにより、ＴＤＭデータ・ＩＰパケット変換回路[＃０]２０（ＴＤＭデータ・ＩＰパケット変換回路[＃１]２１）は、加入者収容回路へのＴＤＭデータの送信を停止する（ステップ５１７）。以上により、系切替えは完了する。
【００６０】
系切替え後、ＴＤＭデータ・ＩＰパケット変換回路[＃１]２１（ＴＤＭデータ・ＩＰパケット変換回路[＃０]２０）は運用系であり、ＩＰアドレスＡを使用する（ステップ３１６、３１７）。また、ＴＤＭデータ・ＩＰパケット変換回路[＃０]２０（ＴＤＭデータ・ＩＰパケット変換回路[＃０]２０）は待機系であり、ＩＰアドレスＢを使用する（ステップ３１４、３１５）。セレクタ２２ｍは、ＴＤＭデータ・ＩＰパケット変換回路[＃１]２１（ＴＤＭデータ・ＩＰパケット変換回路[＃０]２０）からのＴＤＭデータを選択している。ＩＰ網１５はＩＰアドレスＡ宛のＩＰパケットをルータＢ１４（ルータＡ１３）経由で、ＴＤＭデータ・ＩＰパケット変換回路[＃１]２１（ＴＤＭデータ・ＩＰパケット変換回路[＃０]２０）に送信する（ステップ５１０）。ＴＤＭデータ・ＩＰパケット変換回路[＃１]２１（ＴＤＭデータ・ＩＰパケット変換回路[＃０]２０）は、ＩＰ網１５から受信したＩＰパケットをＴＤＭデータに変換し、加入者収容回路２２に送信する（ステップ５１１）。加入者収容回路２２は、ＴＤＭデータ・ＩＰパケット変換回路[＃１]２１（ＴＤＭデータ・ＩＰパケット変換回路[＃１]２１）から受信したＴＤＭデータをデータ信号に変換して、加入者収容端末１２に送信する（ステップ５１２）。
【００６１】
図５はＴＤＭデータ・ＩＰパケット変換回路[＃１]２１（ＴＤＭデータ・ＩＰパケット変換回路[＃０]２０）がＴＤＭデータ・ＩＰパケット変換回路[＃０]２０（ＴＤＭデータ・ＩＰパケット変換回路[＃１]２１）と同一のＴＤＭデータおよび同一のＩＰパケットを生成する方法を示した図である。
【００６２】
前述のとおり、クロック同期ＩＦ２０ｋ（２１ｋ）を経由して同期信号を合わせこむことで、ＴＤＭデータからＩＰパケットへの変換部２０ｂとＴＤＭデータからＩＰパケットへの変換部２１ｂとＩＰパケットからＴＤＭデータへの変換部２０ｇとＩＰパケットからＴＤＭデータへの変換部２１ｇとジッタバッファ２０ｆとジッタバッファ２１ｆが使用する同期信号を同一にする（４０６）。また、クロック元は同一のため、使用するクロックも同一にする。
【００６３】
例として、同期信号の周期を２０ｍｓとし、下り側のジッタバッファ長をＩＰパケット２個分にした場合を説明する。尚、図中のＮｏ．はシーケンス番号を示す。下り方向ではＩＰパケットからＴＤＭデータへの変換部２０ｇ（２１ｇ）は２０ｍｓ周期で、ＩＰパケットからＴＤＭデータへの変換を行う。ジッタバッファ２０ｆ（２１ｆ）がＩＰ網１５から定期的にＩＰパケットを受信しているものとする（４０１）。ジッタバッファ２０ｆ（２１ｆ）がＩＰパケットを２個貯めてからＩＰパケットからＴＤＭデータへの変換部２０ｇ（２１ｇ）に送信することで、ＩＰパケットからＴＤＭデータへの変換部２０ｇ（２１ｇ）にてＴＤＭデータに変換して送信するタイミングを、本来の出力タイミングよりも４０ｍｓ遅延させる（４０２）。系切替えにより、ジッタバッファ２１ｆ（２０ｆ）は、ＴＤＭデータ・ＩＰパケット変換回路[＃０]２０（ＴＤＭデータ・ＩＰパケット変換回路[＃１]２１）からのＩＰパケットおよびＩＰ網１５からのＩＰパケットの受信を開始する（４０３、４０４）。ジッタバッファ２１ｆ（２０ｆ）は、同一シーケンス番号のＩＰパケットを二重に受信したら、後で受信した方を破棄する。そして、ジッタバッファ２１ｆ（２０ｆ）は、ジッタバッファ２０ｆ（２１ｆ）と同様に２個貯めてからＩＰパケットからＴＤＭデータへの変換部２１ｇ（２０ｇ）に送信することで、ＩＰパケットからＴＤＭデータへの変換部２１ｇ（２０ｇ）にてＴＤＭデータに変換して送信するタイミングを、本来の出力タイミングよりも４０ｍｓ遅延させる（４０５）。尚、ジッタバッファ２１ｆ（２０ｆ）で受信するＩＰパケットの遅延のバラつきが大きい場合でも、ジッタバッファ長を長くすることで、ＩＰパケットからＴＤＭデータへの変換部２１ｇがＴＤＭデータに変換して送信するタイミングを、ＩＰパケットからＴＤＭデータへの変換部２０ｇがＴＤＭデータに変換して送信するタイミングと同一にすることが可能である。
【００６４】
以上により、ＴＤＭデータ・ＩＰパケット変換回路[＃１]２１（ＴＤＭデータ・ＩＰパケット変換回路[＃０]２０）は、ＴＤＭデータ・ＩＰパケット変換回路[＃０]２０（ＴＤＭデータ・ＩＰパケット変換回路[＃１]２１）と同一のＴＤＭデータを生成する。
【００６５】
また、上り方向ではＴＤＭデータからＩＰパケット変換部２０ｂ（ＴＤＭデータからＩＰパケット変換部２１ｂ）は、２０ｍｓ周期でＴＤＭデータをＩＰパケットに変換する（４０７、４０８）。ＴＤＭデータからＩＰパケット変換部２１ｂ（ＴＤＭデータからＩＰパケット変換部２０ｂ）は、ＴＤＭデータからＩＰパケット変換部２０ｂ（ＴＤＭデータからＩＰパケット変換部２１ｂ）と同一のＴＤＭデータを受信しているので、２０ｍｓ周期で変換することで＃０と同一のＩＰパケットを生成する（４０９、４１０）。以上により、ＴＤＭデータ・ＩＰパケット変換回路[＃１]２１（ＴＤＭデータ・ＩＰパケット変換回路[＃０]２０）は、ＴＤＭデータ・ＩＰパケット変換回路[＃０]２０（ＴＤＭデータ・ＩＰパケット変換回路[＃１]２１）と同一のＩＰパケットを生成する。  
【産業上の利用可能性】
【００６６】
本発明は、電話システムとIPベース音声ネットワークシステムとの間のメディア変換に用いることが可能である。
【図面の簡単な説明】
【００６７】
【図１】本発明の一実施形態であるゲートウェイの接続図
【図２】ゲートウェイの内部構成図
【図３】ＴＤＭデータ・ＩＰパケット変換回路[＃０]（ＴＤＭデータ・ＩＰパケット変換回路[＃１]）が運用系、ＴＤＭデータ・ＩＰパケット変換回路[＃１]（ＴＤＭデータ・ＩＰパケット変換回路[＃０]）が待機系の状態から、ＴＤＭデータ・ＩＰパケット変換回路[＃１]（ＴＤＭデータ・ＩＰパケット変換回路[＃０]）が運用系、ＴＤＭデータ・ＩＰパケット変換回路[＃０]（ＴＤＭデータ・ＩＰパケット変換回路[＃１]）が待機系に切替える場合の動作シーケンスを上り方向の流れの説明図
【図４】ＴＤＭデータ・ＩＰパケット変換回路[＃０]（ＴＤＭデータ・ＩＰパケット変換回路[＃１]）が運用系、ＴＤＭデータ・ＩＰパケット変換回路[＃１]（ＴＤＭデータ・ＩＰパケット変換回路[＃０]）が待機系の状態から、ＴＤＭデータ・ＩＰパケット変換回路[＃１]（ＴＤＭデータ・ＩＰパケット変換回路[＃０]）が運用系、ＴＤＭデータ・ＩＰパケット変換回路[＃０]（ＴＤＭデータ・ＩＰパケット変換回路[＃１]）が待機系に切替える場合の動作シーケンスを下り方向の流れの説明図
【図５】ＴＤＭデータ・ＩＰパケット変換回路[＃１]（ＴＤＭデータ・ＩＰパケット変換回路[＃０]）がＴＤＭデータ・ＩＰパケット変換回路[＃０]（ＴＤＭデータ・ＩＰパケット変換回路[＃１]）と同一のＴＤＭデータおよび同一のＩＰパケットを生成する方法を示した図
【符号の説明】
【００６８】
１０  ゲートウェイ
１１  ゲートウェイ
１２  加入者端末
１３  ルータＡ
１４  ルータＢ
１５  ＩＰ網
１６  加入者端末
１７  クロック供給装置
２０  ＴＤＭデータ・ＩＰパケット変換回路[＃０]
２０ａ  ＴＤＭデータＩＦ
２０ｂ  ＴＤＭデータからＩＰパケットへの変換部
２０ｃ  ＩＰパケット転送部
２０ｄ  ＩＰパケットＩＦ
２０ｅ  ＩＰパケット交絡ＩＦ
２０ｆ  ジッタバッファ
２０ｇ  ＩＰパケットからＴＤＭデータへの変換部
２０ｈ  クロックＩＦ
２０ｉ  クロック生成部
２０ｊ  制御部
２０ｋ  クロック同期ＩＦ
２０ｌ  制御交絡ＩＦ
２１  ＴＤＭデータ・ＩＰパケット変換回路[＃１]
２１ａ  ＴＤＭデータＩＦ
２１ｂ  ＴＤＭデータからＩＰパケットへの変換部
２１ｃ  ＩＰパケット転送部
２１ｄ  ＩＰパケットＩＦ
２１ｅ  ＩＰパケット交絡ＩＦ
２１ｆ  ジッタバッファ
２１ｇ  ＩＰパケットからＴＤＭデータへの変換部
２１ｈ  クロックＩＦ
２１ｉ  クロック生成部
２１ｊ  制御部
２１ｋ  クロック同期ＩＦ
２１ｌ  制御交絡ＩＦ
２２  加入者収容回路
２２ｍ  セレクタ
２２ｎ  ＴＤＭデータＩＦ
２２ｏ  変換部
２２ｐ  回線ＩＦ
【図１】
2010130390.tif 000003
【図２】
2010130390.tif 000004
【図３】
2010130390.tif 000005
【図４】
2010130390.tif 000006
【図５】
2010130390.tif 000007